(57)【要約】【課題】接続する高周波モジュールから漏れ出す高調波を該高周波モジュール内へ反射する共振器を内蔵する同軸コネクタを得ること。【解決手段】外部導体１０と内部導体１１との間に充填される誘電体１２内に、接続する高周波モジュール１から漏れ出す高調波に共振する共振器１３を配置してある。これによって、接続する高周波モジュール１から漏れ出す高調波を、誘電体１２内に設けた共振器１３が該高周波モジュール１内へ反射するので、外部への高調波漏洩を抑圧することができる。【選択図】        図１
2010154054.tif 000002
【特許請求の範囲】
【請求項１】
外部導体と内部導体との間に充填される誘電体内に、接続する高周波モジュールから漏れ出す高調波に共振する共振器を配置した、ことを特徴とする同軸コネクタ。
【請求項２】
前記共振器は、前記内部導体に沿った長さが前記高調波の１／４波長程度である２つの共振器片を、前記内部導体を挟んで、かつ該内部導体と接触せずに、対向配置し、互いの反対側の端部を該内部導体に接続した構成である、ことを特徴とする請求項１に記載の同軸コネクタ。
【請求項３】
前記２つの共振器片の短手方向は、弧状に形成されている、ことを特徴とする請求項２に記載の同軸コネクタ。
【発明の詳細な説明】
【技術分野】
【０００１】
この発明は、同軸コネクタに関し、特にマイクロ波増幅器を内蔵する高周波モジュールの出力端に取り付けるのに好適な同軸コネクタに関するものである。
【背景技術】
【０００２】
マイクロ波増幅器においては、基本波以外の高調波の信号が発生するため、基本波での高出力増幅器等の特性に影響を与えることなく、高調波を抑制する必要がある。このような高調波を抑圧する回路として、従来から種々の回路が提案されている（例えば、特許文献１，２等）。
【０００３】
すなわち、特許文献１では、マイクロ波増幅器の出力側に高調波に対してショートの状態を実現するショートスタブやオープンスタブを接続し、高調波を反射させる高調波抑圧回路が開示されている。
【０００４】
また、特許文献２では、マイクロ波増幅器の出力側に高調波に共振する結合線路を設けて、高調波を反射させる高調波抑圧回路が開示されている。
【０００５】
つまり、マイクロ波増幅器を内蔵する高周波モジュールは、上記のような高調波抑圧回路をマイクロ波増幅器の出力側とジュール筐体の出力端側側壁との間に介在させている。そして、同軸コネクタは、当該モジュールの出力端側から筐体内に臨ませた内部導体の端部を高調波抑圧回路に接続し、フランジである金属板を当該モジュール筐体の出力端側壁面に接合固定することで、高周波モジュールに取り付けられる。
【０００６】
ところが、上記高調波抑圧回路を付加したマイクロ波増幅器であっても、高周波モジュールの筐体内に収納した場合、マイクロ波増幅器の出力端から出た電磁波の一部が筐体空間内に放射されることが起こる。この筐体空間内に放射された電磁波は筐体内を導波管モードで伝播するので、モジュールの出力端に取り付けた同軸コネクタとの接続部に結合してしまい、高調波信号が同軸コネクタを介してモジュール筐体の外部に漏洩するという問題が生じていた。
【０００７】
この問題を解決するため、本出願人は、先に、同軸コネクタの金属板が接合されるモジュール筐体の出力端側壁面に、同軸コネクタの内部導体を中心とする半径が高調波の１／４波長程度の円盤状の凹部を設け、その開口部を同軸コネクタの金属板が塞ぐことで共振器を形成する構成例を提案した（特許文献３：未公開）。この構成によれば、同軸コネクタの接合部に結合する高調波信号を、共振器によって、基本波信号の特性に影響を与えることなくモジュール筐体内部に反射させることができるので、外部に漏洩する高調波信号を抑圧することができる。
【０００８】
【特許文献１】特開２００１−５３５１０号公報
【特許文献２】特開平８−１３９５３５号公報
【特許文献３】特開２００８−０９５１５４号公報
【発明の開示】
【発明が解決しようとする課題】
【０００９】
しかしながら、上記のように同軸コネクタの金属板が接合されるモジュール筐体の側壁面に円盤状の共振器を形成する構成では、当該円盤状の共振器の半径を高調波の１／４波長の整数倍にする必要があるので、モジュール筐体の縦断面のサイズが大きくなり、小型化の妨げになることが判明した。
【００１０】
この発明は、上記に鑑みてなされたものであり、接続する高周波モジュールから漏れ出す高調波を該高周波モジュール内へ反射する共振器を内蔵する同軸コネクタを得ることを目的とする。
【課題を解決するための手段】
【００１１】
上述した目的を達成するために、この発明にかかる同軸コネクタは、外部導体と内部導体との間に充填される誘電体内に、接続する高周波モジュールから漏れ出す高調波に共振する共振器を配置したことを特徴とする。
【発明の効果】
【００１２】
この発明によれば、接続する高周波モジュールから漏れ出す高調波を、誘電体内に設けた共振器が該高周波モジュール内へ反射するので、外部への高調波漏洩を抑圧することができるという効果を奏する。
【発明を実施するための最良の形態】
【００１３】
以下に図面を参照して、この発明にかかる同軸コネクタの好適な実施の形態を詳細に説明する。
【００１４】
図１は、この発明の一実施の形態による同軸コネクタの構成を示す断面図であり、図１（ａ）は側面断面図、図１（ｂ）は縦断面図である。
【００１５】
図１（ａ）において、符号１は高周波モジュールであり、符号２はこの実施の形態による同軸コネクタである。
【００１６】
高周波モジュール１は、図１では左方側は図示を省略してあるが、有低直方体形状のモジュール筐体３の上部開口部を蓋４で密閉する外観構成である。モジュール筐体３の底部には、マイクロ波増幅器５が配置され、マイクロ波増幅器５と同軸コネクタ２を取り付ける出力端側側壁との間に高調波抑圧回路６が配置されている。マイクロ波増幅器５の出力端と高調波抑圧回路６の入力端とは金リボン７によって接続されている。
【００１７】
マイクロ波増幅器５は、ＭＩＣ（マイクロ波集積回路）やＭＭＩＣ（モノロシッマイクロ波集積回路）などである。マイクロ波増幅器５は、マイクロ波帯あるいはミリ波帯の高周波信号を出力する。この高周波信号には、マイクロ波増幅器５が増幅する所望周波数からなる基本波信号とその高調波信号とが含まれている。
【００１８】
高調波抑圧回路６は、マイクロ波増幅器５の出力信号における基本波の特性に影響を与えることなく、その出力信号に含まれる基本波に対する高調波を反射もしくは減衰させて抑制する回路であり、例えば、特許文献１，２に記載される前記した構成のものが、基板上に形成されている。
【００１９】
さて、同軸コネクタ２は、基本的には、フランジである金属板９と、金属板９が一端側面に固定される所定長の外部導体１０と、外部導体１０の内側に同軸で配置される所定長の内部導体１１と、外部導体１０と内部導体１１との間に充填された誘電体１２とで構成されるが、この実施の形態では、誘電体１２内に、共振器１３を設けてある。
【００２０】
この同軸コネクタ２は、フランジである金属板９を、モジュール筐体３の出力端側壁面に接合固定することで、高周波モジュール１に取り付けられる。この場合、内部導体１１は、一端が誘電体１２を被覆した状態でモジュール筐体３の出力端側壁内に入り込み、そこから内部導体１１の一端側先端部がモジュール筐体３内に突き出している。この内部導体１１の一端側先端部に、高調波抑圧回路６の出力端が金リボン８によって接続されている。
【００２１】
以下、図１（ｂ）〜図３を参照して、この実施の形態による共振器１３について説明する。なお、図２は、同軸コネクタ２に内蔵する共振器の具体的な構成例を示す斜視図である。図３は、同軸コネクタ２に内蔵する共振器と内部導体との接続関係等を説明する等価回路図である。
【００２２】
図１（ｂ）〜図３に示すように、共振器１３は、高調波に共振する構造として、内部導体１１に沿う長手方向の長さが高調波の１／４波長程度である２つの共振器片１３ａ，１３ｂを、内部導体１１を挟んで、かつ接触せずに任意の間隙を置いて対向配置し、互いに反対側の端部を金リボン１４ａ，１４ｂで内部導体１１に接続した構成である。なお、共振器片１３ａ，１３ｂの同じ側の端部を内部導体１１に接続すると、所望の共振特性が得られないので、上記の態様で接続することが好ましい。
【００２３】
共振器片１３ａ，１３ｂは、図２に示すように、平板帯状ではなく、短手方向が弧状に形成されている。短手方向の弧状の形態は、例えば、３０度の円弧である。共振器片１３ａ，１３ｂの配置場所は、一般には金属板９から外部導体１０の他端までの間の中間付近であるが、金属板９から外部導体１０の他端までの間であれば何処でもよい。
【００２４】
以上の構成において、マイクロ波共振器５の出力端からモジュール筐体３内の空間に放射された高調波信号は、モジュール筐体３内の空間を導波管モードで伝播し、高調波抑圧回路６で抑圧されることなく、金リボン８を介して同軸コネクタ２の内部導体１１に結合し、漏洩する。
【００２５】
同軸コネクタ２では、漏洩した高調波信号を、共振器１３により、基本波信号の特性に影響を与えることなく、反射してモジュール筐体３内へ送り返すので、高調波の漏洩を抑圧することができる。
【００２６】
このように、この実施の形態によれば、同軸コネクタに、接続する高周波モジュールから漏れ出す高調波を該モジュール筐体内へ反射する共振器を内蔵したので、高周波モジュールの外部へ漏洩する高調波を抑圧することができる。
【００２７】
そして、共振器は、同軸コネクタの誘電体内に形成されるので、モジュール筐体の小型化が図れる。
【産業上の利用可能性】
【００２８】
以上のように、この発明にかかる同軸コネクタは、接続する高周波モジュールから漏れ出す高調波の外部への漏洩を抑圧する同軸コネクタとして有用である。
【図面の簡単な説明】
【００２９】
【図１】この発明の一実施の形態による同軸コネクタの構成を示す断面図であり、（ａ）は側面断面図、（ｂ）は縦断面図である。
【図２】図１に示す同軸コネクタに内蔵する共振器の具体的な構成例を示す斜視図である。
【図３】図１に示す同軸コネクタに内蔵する共振器と内部導体との接続関係等を説明する等価回路図である。
【符号の説明】
【００３０】
１  高周波モジュール
２  同軸コネクタ
３  モジュール
４  蓋
５  マイクロ波増幅器
６  高調波抑圧回路
７，８，１４ａ，１４ｂ  金リボン
９  金属板
１０  外部導体
１１  内部導体
１２  誘電体
１３  共振器
１３ａ，１３ｂ  共振器片
【図１】
2010154054.tif 000003
【図２】
2010154054.tif 000004
【図３】
2010154054.tif 000005